(57)【特許請求の範囲】
【請求項１】
容器の口頸部に固着される中栓、及び該中栓に装着される外蓋を具備する容器蓋にして、
該中栓は閉塞壁を有し、該閉塞壁には破断可能薄肉ラインによって囲繞された細長形状の除去領域が規定されており、該除去領域には該破断可能薄肉ラインに内接した下端縁から上方に突出する細長筒形状の被係止壁が配設されており、
該外蓋は天面壁と該天面壁から垂下する円筒形被装着壁とを有し、該天面壁の下面における該被装着壁よりも内側の領域には下方に突出する円筒形状の係止壁が形成されており、該係止壁の内周面には一対の外側係止突起が配設されており、該一対の外側係止突起の一方は該除去領域の長手方向片側において該被係止壁の、該外蓋の開回転方向に見て下流側に位置する外面に対向して位置せしめられ、該一対の外側係止突起の他方は該除去領域の長手方向他側において該被係止壁の、該外蓋の該開回転方向に見て下流側に位置する外面に対向して位置せしめられており、
該一対の外側係止突起には係合手段が形成され、該被係止壁には被係合手段が形成されており、該中栓に対して該外蓋が該開回転方向に回転せしめられると該係合手段と該被係合手段との協働によって、該係止壁に対して該被係止壁が中心軸線方向に移動することが防止される、
ことを特徴とする容器蓋。
【請求項２】
該被係合手段は該除去領域の長手方向片側及び他側において該被係止壁の、該外蓋の該開回転方向に見て下流側に位置する外面に形成された溝或いは突条を含み、該係合手段は該一対の外側係止突起の、該被係止壁の該溝或いは該突条に対向する表面に形成されている突条或いは溝を含み、該外蓋が該開回転方向に回転せしめられると該一対の外側係止突起の該突条或いは該溝が該被係止壁の該溝或いは該突条に係合し、これによって該外側係止突起に対して該被係止壁が中心軸線方向に移動するのが防止される、請求項１記載の容器蓋。
【請求項３】
該外蓋の該天面壁の下面には、下方に突出して該一対の外側係止突起間に位置する単一の内側係止突起が形成されており、該内側係止突起には一対の係止面が規定されており、該係止面の一方は、該除去領域の長手方向片側において該被係止壁の、該外蓋の該開回転方向に見て上流側に位置する内面に対向して位置せしめられ、該係止面の他方は、該除去領域の長手方向他側において該被係止壁の、該外蓋の該開回転方向に見て上流側に位置する内面に対向して位置せしめられ、
該被係止壁の内周面には一対の係止片も形成されており、該係止片の一方は該除去領域の長手方向片側において該被係止壁の内面に形成され、該係止片の他方は該除去領域の長手方向他側において該被係止壁の内面に形成されており、該中栓に対して該外蓋が該開回転方向に回転せしめられると該内側係止突起が該係止片に係止せしめられ、これによって該係止壁が該被係止壁に対して該外蓋の該閉回転方向に相対的に回転するのが防止される、請求項１又は２記載の容器蓋。
【請求項４】
該被係止壁の内周面における、該内側係止突起の該一対の係止面が対向して位置する部位以外の部位には、中心軸線方向に延びる複数個のリブが周方向に間隔をおいて配設されている、請求項３記載の容器蓋。
【請求項５】
該中栓の該閉塞壁の下面における、該除去領域の外側部位には複数個のリブが間隔をおいて配設されている、請求項１から４までのいずれかに記載の容器蓋。
【発明の詳細な説明】
【技術分野】
【０００１】
本発明は、容器に固着される中栓及びこの中栓に装着される外蓋を具備する容器蓋に関する。
【背景技術】
【０００２】
醤油、食用油及びドレッシングの如き液体調味料のための容器蓋として、容器の口頸部に固着される中栓及びこの中栓に装着される外蓋を具備する容器蓋が広く実用に供されている。中栓は略水平に延在する閉塞壁とこの閉塞壁の上面周縁部から上方に延出する円筒形装着壁とを有する。閉塞壁には破断可能薄肉ラインによって囲繞された除去領域が規定されており、装着壁の外周面には雄螺条が形成されている。外蓋は天面壁とこの天面壁から垂下する円筒形被装着壁とを有する。被装着壁の内周面には雌螺条が形成されている。中栓に外蓋を被嵌して中栓の雄螺条に外蓋の雌螺条を螺合せしめることによって、中栓に外蓋が装着される。
【０００３】
上記形態の容器蓋の典型例においては、中栓の除去領域の上面には上方に延びる連結柱を介して引張リングが付設されている。容器の内容物を消費する際には、外蓋を開方向に回転せしめて外蓋の雌螺条と中栓の雄螺条との螺合を解除して中栓から外蓋を離脱し、引張リングを露呈せしめる。次いで、引張リングを引っ張って破断可能薄肉ラインを破断して除去領域を除去し、閉塞壁に排出口を生成する。かような形態の典型例においては、中栓から外蓋を離脱せしめた後に引張リングを引っ張って破断可能薄肉ラインを破断して除去領域を除去する操作が必要であり、使用勝手が必ずしも良好でない。
【０００４】
上記典型例における上述したとおりの問題を解決するために、下記特許文献１乃至４には、中栓に装着されている外蓋を中栓から離脱するために外蓋を開方向に回転せしめると、外蓋から中栓の除去領域に力が伝達されて破断可能薄肉ラインが破断されるように構成した容器蓋が開示されている。
【先行技術文献】
【特許文献】
【０００５】
【特許文献１】昭和５２年実用新案登録願第４６０２９号の明細書及び図面
【特許文献２】特開２００５−２８９３８９号公報
【特許文献３】特開２００７−２３８１４０号公報
【特許文献４】特開２００８−３０８２１８号公報
【発明の概要】
【発明が解決しようとする課題】
【０００６】
而して、中栓から外蓋を離脱せしめるために外蓋を開方向に回転せしめると破断可能薄肉ラインが破断されるように構成した容器蓋においては、（１）外蓋に過大な回転トルクを加える必要なくして破断可能薄肉ラインを充分容易に破断することができる、（２）破断可能薄肉ラインを破断することによって除去された除去領域は外蓋と共に中栓から離脱され、従って外蓋を除去した後に除去領域を指で摘んで排除する必要がない、（３）破断可能薄肉ラインによって規定されている除去領域の形状、従って除去領域を除去することによって形成される排出口の形状は、内容物の円滑な排出のために円形状ではなくて略楕円形状の如き細長形状である、（４）溶着等の煩雑な製作工程を必要とすることなく充分安価に製作することができる、（５）中栓に外蓋を所要とおりに装着する際に中栓に配設されている破断可能薄肉ラインが破断されてしまうことがない、という要件を充足することが望まれる。しかしながら、上記特許文献１乃至４に開示されている容器蓋は、いずれも上記５個の要件の全てを充足することができない。上記特許文献１に開示されている容器蓋は上記要件１、２及び５を充足することができず、上記特許文献２に開示されている容器蓋は上記要件４及び５を充足することができず、上記特許文献３に開示されている容器蓋は上記要件１及び３を充足することができず、上記特許文献４に開示されている容器蓋は上記要件３及び５を充足することができない。
【０００７】
そこで、本発明者等は、先に、特願２０１１−０７８７４０号明細書及び図面において、上記要件１乃至５の全てを充足する容器蓋として、容器の口頸部に固着される中栓、及び中栓に装着される外蓋を具備し、中栓は閉塞壁とこの閉塞壁の上面周縁部から上方に延出する円筒形装着壁とを有し、閉塞壁には破断可能薄肉ラインによって囲繞された細長形状の除去領域が規定されており、除去領域には破断可能薄肉ラインに内接した下端縁から上方に突出する細長筒形状の被係止壁が配設されており、装着壁の外周面には雄螺条が形成されており、外蓋は天面壁とこの天面壁から垂下する円筒形被装着壁とを有し、天面壁の下面における被装着壁よりも内側の領域には下方に突出する一対の外側係止突起が形成されており、被装着壁の内周面には装着壁に形成されている雄螺条と協働する雌螺条が形成されている容器蓋を提供した。中栓の被係止壁には被係合手段が配設され、外蓋の一対の外側係止突起には係合手段が配設されており、中栓に対して外蓋が開方向に回転せしめられると係合手段と被係合手段との協働によって、一対の外側係止突起に対して係止壁が中心軸線方向に移動するのが防止される。
【０００８】
然るに、本発明者等が先に提案した上記容器蓋は、上記要件１乃至５を充足する優れたものであるが、本発明者等の経験によれば、未だ充分に満足し得るものではなく、特に使用材料を低減して製造コストの低減を図るために容器蓋の各部位の肉厚を薄くした場合に、一対の外側係止突起が夫々別個独立して外蓋の天面壁の下面に配設されていることに起因して、中栓に対して外蓋を開方向に回転せしめて一対の外側係止突起が被係止壁に係止し、被係止壁を開方向に強制して破断可能薄肉ラインを破断する際に、一対の外側係止突起が弾性的に撓み、これに起因して破断可能薄肉ラインの破断が必ずしも充分容易に且つ確実に遂行されない、という問題を有することが判明した。
【０００９】
本発明は上記事実に鑑みてなされたものであり、その主たる技術的課題は、本発明者等が先に提案した容器蓋に更に改良を加えて、使用材料を低減して製造コストの低減を図るために容器蓋の各部位の肉厚を薄くした場合にも、中栓に対して外蓋を開方向に回転せしめることによって破断可能薄肉ラインを充分容易に且つ確実に破断することができるようにせしめることである。
【課題を解決するための手段】
【００１０】
本発明者等は、鋭意検討及び実験の結果、外蓋の天面壁の下面に一対の外側係止突起を別個独立に配設することに代えて、天面壁の下面における被装着壁よりも内側の領域に、下方に突出する係止壁を形成し、かかる係止壁の内周面に一対の外側係止突起を配設することによって、上記主たる技術的課題を達成することができることを見出した。
【００１１】
即ち、本発明によれば、上記主たる技術的課題を達成する容器蓋として、容器の口頸部に固着される中栓、及び該中栓に装着される外蓋を具備する容器蓋にして、
該中栓は閉塞壁を有し、該閉塞壁には破断可能薄肉ラインによって囲繞された細長形状の除去領域が規定されており、該除去領域には該破断可能薄肉ラインに内接した下端縁から上方に突出する細長筒形状の被係止壁が配設されており、
該外蓋は天面壁と該天面壁から垂下する円筒形被装着壁とを有し、該天面壁の下面における該被装着壁よりも内側の領域には下方に突出する円筒形状の係止壁が形成されており、該係止壁の内周面には一対の外側係止突起が配設されており、該一対の外側係止突起の一方は該除去領域の長手方向片側において該被係止壁の、該外蓋の開回転方向に見て下流側に位置する外面に対向して位置せしめられ、該一対の外側係止突起の他方は該除去領域の長手方向他側において該被係止壁の、該外蓋の該開回転方向に見て下流側に位置する外面に対向して位置せしめられており、
該一対の外側係止突起には係合手段が形成され、該被係止壁には被係合手段が形成されており、該中栓に対して該外蓋が該開回転方向に回転せしめられると該係合手段と該被係合手段との協働によって、該係止壁に対して該被係止壁が中心軸線方向に移動することが防止される、
ことを特徴とする容器蓋が提供される。
【００１２】
好ましくは、該被係合手段は該除去領域の長手方向片側及び他側において該被係止壁の、該外蓋の該開回転方向に見て下流側に位置する外面に形成された溝或いは突条を含み、該係合手段は該一対の外側係止突起の、該被係止壁の該溝或いは該突条に対向する表面に形成されている突条或いは溝を含み、該外蓋が該開回転方向に回転せしめられると該一対の外側係止突起の該突条或いは該溝が該被係止壁の該溝或いは該突条に係合し、これによって該外側係止突起に対して該被係止壁が中心軸線方向に移動するのが防止される。該外蓋の該天面壁の下面には、下方に突出して該一対の外側係止突起間に位置する単一の内側係止突起が形成されており、該内側係止突起には一対の係止面が規定されており、該係止面の一方は、該除去領域の長手方向片側において該被係止壁の、該外蓋の該開回転方向に見て上流側に位置する内面に対向して位置せしめられ、該係止面の他方は、該除去領域の長手方向他側において該被係止壁の、該外蓋の該開回転方向に見て上流側に位置する内面に対向して位置せしめられ、該被係止壁の内周面には一対の係止片も形成されており、該係止片の一方は該除去領域の長手方向片側において該被係止壁の内面に形成され、該係止片の他方は該除去領域の長手方向他側において該被係止壁の内面に形成されており、該中栓に対して該外蓋が該開回転方向に回転せしめられると該内側係止突起が該係止片に係止せしめられ、これによって該係止壁が該被係止壁に対して該外蓋の該閉回転方向に相対的に回転するのが防止されるのが好適である。該被係止壁の内周面における、該内側係止突起の該一対の係止面が対向して位置する部位以外の部位には、中心軸線方向に延びる複数個のリブが周方向に間隔をおいて配設されているのが好ましい。該中栓の該閉塞壁の下面における、該除去領域の外側部位には複数個のリブが間隔をおいて配設されているのが好適である。
【発明の効果】
【００１３】
本発明の容器蓋においては、外蓋の天面壁の下面に円筒形状の係止壁を形成し、この係止壁の内周面に一対の外側係止突起を配設したので、一対の外側係止突起が被係止壁に作用して被係止壁を開方向に強制する際に、係止壁による保持作用によって、そしてまた係止壁によって相互に連結されている一対の外側係止壁の相互作用によって、一対の外側係止突起が被係止壁から遠ざかる方向に撓むことが効果的に防止され、かくして一対の外側係止突起から中栓の被係止壁を介して破断可能薄肉ラインに効果的に力が伝達され、これによって破断可能薄肉ラインが充分容易に且つ確実に破断される。外蓋が開方向に回転せしめられると、一対の外側係止突起に配設されている係合手段と中栓の被係止壁に配設されている被係合手段とが協働して、係止壁に対して被係止壁が中心軸線方向に移動するのが防止され、従って破断可能薄肉ラインの破断によって除去された除去領域は外蓋から離脱されることなく外蓋に付随して中栓から離脱される。加えて、本発明の容器蓋は、溶着の如き煩雑な工程を遂行することなく充分安価に製作することができる。中栓に外蓋を所要とおりに装着する際に中栓の破断可能薄肉ラインに力が伝達されることはなく、破断可能薄肉ラインが破断されることはない。
【図面の簡単な説明】
【００１４】
【図１】本発明に従って構成された容器蓋の好適実施形態を、一部を断面で示す正面図。
【図２】図１の容器蓋における中栓の斜面図。
【図３】図１の容器蓋における中栓の正面図。
【図４】図１の容器蓋における中栓の断面図。
【図５】図１の容器蓋における中栓の平面図。
【図６】図１の容器蓋における外蓋を倒立状態で示す斜面図。
【図７】図１の容器蓋における外蓋の断面図。
【図８】図１の容器蓋を、中栓に外蓋が所要とおりに装着されている状態で示す断面図。
【図９】図８に示す状態における中栓の係止壁と外蓋の係止突起との関係を示す部分斜面図。
【図１０】図１の容器蓋を、中栓から外蓋を離脱するために外蓋を開方向に幾分回転せしめた状態で示す断面図。
【図１１】図１０に示す状態における中栓の係止壁と外蓋の係止突起との関係を示す部分斜面図。
【図１２】図１の容器蓋を、中栓から外蓋を離脱せしめた状態で示す断面図。
【図１３】図１２に示す状態における中栓の係止壁と外蓋の係止突起との関係を示す部分斜面図。
【発明を実施するための形態】
【００１５】
以下、本発明に従って構成された容器蓋の好適実施形態を図示している添付図面を参照して更に詳細に説明する。
【００１６】
図１を参照して説明すると、本発明に従って構成された容器蓋は、口頸部２のみを図示している容器の口頸部に固着される中栓４、及びこの中栓４に装着されている外蓋６を具備している。ポリエチレンテレフタレートの如き適宜の合成樹脂、ガラス或いは金属薄板から形成することができる容器の口頸部２は全体として円筒形状であり、上面は開口されている。口頸部２の外周面には係止あご部８とこの係止あご部８よりも下方に位置するサポートリング１０が形成されている。中栓４は軟質ポリエチレンの如き適宜の合成樹脂から射出乃至圧縮成形することができ、同様に外蓋６もポリプロピレンの如き適宜の合成樹脂から射出乃至圧縮成形することができる。
【００１７】
図１と共に図２乃至図５を参照して説明を続けると、中栓４は全体として水平に延在する円形閉塞壁１２を有している。この閉塞壁１２の中央領域には細長形状の除去領域が形成されていることが重要である。図示の実施形態においては、閉塞壁１２の中央領域に略楕円形状の破断可能薄肉ライン１４が形成されており、略楕円形状の除去領域１６が規定されている(特に図４及び図５を参照されたい)。図４を参照することによって明確に理解される如く、除去領域１６は破断可能薄肉ライン１４の外側領域よりも上方に変位せしめられており、除去領域１６の下面は破断可能薄肉ライン１４よりも外側の領域の上面と実質上同高或いはこれよりも幾分上方に位置せしめられているのが好適である。閉塞壁１２の下面には、最外周縁部から垂下する円筒形垂下壁１８と、この垂下壁１８よりも半径方向内側に位置する環状シール片２０とが形成されている。更に、閉塞壁１２の下面における、上記環状シール片２０よりも半径方向内側で且つ破断可能薄肉ライン１４よりも外側の領域には、図５において上下方向に間隔をおいて平行に延在する複数個の補強リブ２２が形成されている。リブ２２の各々横断面形状は半円形状或いは矩形状でよい。垂下壁１８の内周面下端部には環状係止突条２４が形成されている。閉塞壁１２の上面には、その外周縁部から上方に延出する円筒形装着壁２６と、装着壁２６よりも半径方向内側に位置する略円筒形状の注出筒２８が形成されている。装着壁２６の外周面には雄螺条３０が形成されている。注出筒２８の上端部は半径方向外方に円弧状に湾曲せしめられている。図２及び図３を参照することによって理解される如く、閉塞壁１２の上面外周面部（装着壁２６よりも半径方向外側の領域）には、周方向に９０度の角度範囲に渡って延びる４個の弧状制限部３２が形成されている。制限部３２の各々の上面は外蓋６の閉回転方向（図２及び図５に矢印Ａで示す方向）に向かって下方に傾斜せしめられており、制限部３２の各々の、外蓋６の閉回転方向上流端には実質上鉛直に延びる制限端面３４が規定されている。
【００１８】
閉塞壁１２の上面には、更に、破断可能薄肉ライン１４に内接した下端縁から上方に突出する被係止壁３６が形成されていることが重要である。被係止壁３６は実質上鉛直に上方に突出せしめられていて略楕円筒形状であるのが好適である。被係止壁３６の、除去領域１６の長手方向片側において外蓋６の開回転方向（図２及び図５において矢印Ｂで示す方向）下流側に位置する外面には、実質上水平に延びる溝３８が形成されている。同様に、図２には図示していないが、被係止壁３６の、除去領域１６の長手方向他側においても外蓋６の開回転方向下流側に位置する外面には、実質上水平に延びる溝３８が形成されている。被係止壁３６には、更に、除去領域１６の長手方向両端部において内周面から外蓋６の開回転方向に見て下流側に弧状に延出する係止片４０が形成されている。係止片４０の基端は被係止壁３６の内面を実質上鉛直に延びている。上記溝３８及び係止片４０は、後の説明から明らかになるとおり、被係合手段を構成する。被係止壁３６の内周面には、更に、上記溝３８が形成されている部位に対応する部位に、周方向に間隔をおいて実質上鉛直に延びる複数個の補強リブ４２が形成されている。図２を参照することによって明確に理解される如く、リブ４２の各々の両側面は上方に向かって相互に接近する方向に若干の傾斜角度で傾斜せしめられており、リブ４２の上端面は内側に向かって下方に傾斜せしめられている。
【００１９】
図１と共に図６及び図７を参照して説明を続けると、図示の実施形態における外蓋６は円形天面壁４４とこの天面壁４４の外周縁から垂下する円筒形状のスカート壁４６とを有する。図１に図示する如く、スカート壁４６の外周面にはそこに掛けられる指の滑りを防止するためのナール（凹凸形状）４８が形成されている。天面壁４４の下面には、その外周縁部から下方に垂下する円筒形被装着壁５０が形成されている。この被装着壁５０の内周面下部には雌螺条５２が形成されている。図６に明確に図示する如く、被装着壁５０の下端面には９０度の角度範囲に渡って延在する４個の被制限部５４が形成されている。被制限部５４の各々の下面は外蓋６の閉回転方向（図６において矢印Ａで示す方向）に向かって漸次下方に傾斜せしめられており、被制限部５４の各々の閉回転方向下流端には、実質上鉛直に延びる被制限端面５６が規定されている。
【００２０】
天面壁４４の下面には、更に、被装着壁５０よりも半径方向内側の領域において下方に垂下する円筒形状の係止壁５８も形成されており、この係止壁５８の内周面には一対の外側係止突起６０ａ及び６０ｂが付設されていることが重要である。図１及び図７を参照することによって明確に理解される如く、係止壁５８は上方に向かって厚さが漸次増大せしめられており、上部には厚さが急激に増大する部位が存在する。一対の外側係止突起６０ａ及び６０ｂは直径方向に対向して、即ち周方向に１８０度の角度間隔をおいて係止壁５８の内周面に付設されている。一対の外側係止突起６０ａ及び６０ｂの各々は全体として略勾玉形状であり、係止壁５８の内周面から、外蓋６の閉回転方向に向かって半径方向内方に弧状に延出する凹弧状係止面６２ａ及び６２ｂを有する。一対の外側係止突起６０ａ及び６０ｂの各々には、使用材料量を低減するために２個の空所６４ａ及び６４ｂが形成されている。一対の外側係止突起６０ａ及び６０ｂの各々の係止面６２ａ及び６２ｂには実質上水平に延在する突条６６ａ及び６６ｂが形成されている。後に更に言及する如く、突条６６ａ及び６６ｂは係合手段を構成し、中栓４の被係止壁３６に形成されている溝３８と協働する。所望ならば、図示の実施形態の場合とは逆に、被係止壁３６に突条を形成し外側係止突起６０ａ及び６０ｂに溝を形成することもできる。天面壁４４の内面には、下方に突出して一対の外側係止突起６０ａ及び６０ｂの間に位置する単一の内側係止突起６８も配設されている。この内側係止突起６８は全体として略平行四辺形状であり、直径方向に対向して位置する２個の凸弧状係止面７０ａ及び７０ｂが規定されている。この内側係止突起６８にも使用材料量を低減するために３個の空所７２が形成されている。
【００２１】
上述したとおりの中栓４と外蓋６とは、中栓４の被係止壁３６と外蓋６の一対の外側係止突起６０ａ及び６０ｂ並びに内側係止突起６８とを図９に図示するとおりの関係に位置付けて、外蓋６内に中栓４を図８に図示する状態、即ち中栓４の閉塞壁１２の上面周縁部が外蓋６の被装着壁５０の下端に近接乃至当接する状態、まで軸線方向に強制的に押込むことによって相互に組み合わされる。かくすると、図８に明確に図示する如く、中栓４の装着壁２６の外周面に形成されている雄螺条３０が外蓋６の被装着壁５０の内周面に形成されている雌螺条５２を弾性的に乗り越え、雄螺条３０と雌螺条５２とが相互に螺合せしめられた状態が確立される。かかる状態において、中栓４の閉塞壁１２の上面外周縁部に形成されている制限部３２の制限面３４が外蓋６の被装着壁５０の下端面に形成されている被制限部５４の被制限面５６に対向して位置し、これによって中栓４に対して外蓋６が閉方向に若干の遊びを越えて回転することが阻止される。また、外蓋６の係止壁５８の上端部外周面が中栓４の注出筒２８の上端部内周面に密接せしめられる。図８に示すとおりに組み合わされた容器蓋は、容器の口頸部２に対して図８に示す状態まで強制的に下降せしめることによって容器の口頸部２に装着される。かくすると、中栓４における垂下壁１８の内周面に形成されている係止突条２４が口頸部２の外周面に形成されている係止あご部８を弾性的に乗り越えてこれに係止せしめられ、中栓４が口頸部２に固着される。また、中栓４のシール片２０が口頸部２内に進入せしめられ、これによって口頸部２が密封される。
【００２２】
容器の内容物を消費する際には、外蓋６のスカート壁４６に指を掛けて、中栓４に装着されている外蓋６を開方向（矢印Ｂで示す方向）に回転する。外蓋６が略２５度程度の角度に渡って開回転方向に回転せしめられると、図１０及び図１１に図示する状態となり、図１１を参照することによって明確に理解されるとおり、一対の外側係止突起６０ａ及び６０ｂの各々の係止面６２ａ及び６２ｂが被係止壁３６の外面に当接せしめられ、そしてまた係止面６２ａ及び６２ｂに形成されている突条６６ａ及び６６ｂが被係止壁３６の外面に形成されている溝３８に係合せしめられ、これによって一対の外側係止突起６０ａ及び６０ｂに対して被係止壁３６が軸線方向に移動することが防止される。一方、内側係止突起６８においては、２個の係止面７０ａ及び７０ｂが被係止壁３６の内面に当接せしめられる。被係止壁３６の内周面に配設されているリブ４２は、内側係止突起６８の係止面７０ａ及び７０ｂが当接する部位以外の部位（従って、図９に示す状態において内側係止突起６８の係止面７０ａ及び７０ｂが対向して位置する部位以外の部位）に配設されており、係止面７０ａ及び７０ｂがリブ４２に当接することはない。図９と図１１とを比較参照することによって理解される如く、内側係止突起６８は被係止壁３６の内面に形成されている係止片４０を弾性的に乗り越え、かくして内側係止突起６８が被係止壁３６に対して相対的に閉回転方向に回転することが防止される。外蓋６が更に開方向に回転せしめられると、図１２及び図１３に図示する如く、一対の外側係止突起６０ａ及び６０ｂ並びに内側係止突起６８を介して被係止壁３６に加えられる力によって破断可能薄肉ライン１４が破断されて除去領域１６が閉塞壁１２から除去され、排出口が生成される。外蓋６の天面壁４４の下面には円筒形状の係止壁５８を形成し、この係止壁５８の内周面に一対の外側係止突起６０ａ及び６０ｂを付設しているので、一対の外側係止突起６０ａ及び６０ｂが被係止壁３６に作用して被係止壁３６を開方向に強制する際に、係止壁５８による保持作用によって、そしてまた係止壁５８によって相互に連結されている一対の外側係止突起６０ａ及び６０ｂの相互作用によって、一対の外側係止突起６０ａ及び６０ｂが被係止壁３６から遠ざかる方向に撓むことが効果的に防止され、かくして充分容易に且つ確実に破断可能薄肉ライン１４を破断することができる。また、閉塞壁１２の下面における、除去領域１６の外側部位に間隔をおいて配設された複数個の傾斜リブ２２によって閉塞壁１２の変形が効果的に抑制され、そしてまた被係止壁３６の内周面に配設されたリブ４２によって、一対の外側係止突起６０ａ及び６０ｂを介して加えられる力による被係止壁３６が変形することも効果的に抑制され、これらによっても破断可能薄肉ライン１４の破断が助長される。閉塞壁１２から除去された、被係止壁３６を含む除去領域１６は、外蓋６から落下することなく外蓋６と共に中栓４から離脱せしめられる。しかる後においては中栓４の閉塞壁１２に生成された排出口を通して内容物を排出することができる。内容物の必要量の排出が終了した後においては、必要に応じて被係止壁３６を含む除去領域１６を外蓋６から離脱して、外蓋６を中栓４に被嵌し、次いで閉方向に回転せしめて外蓋６の被装着壁５０の内周面に形成されている雌螺条５２を中栓４の装着壁２６の外周面に形成されている雄螺条３０に螺合せしめて中栓４に再び外蓋６を装着し、排出口を閉じることができる。外蓋６の係止壁５８の外周面上端部が中栓４の注出筒２８の上端部外周面に密接せしめられ、これによって密封効果が達成される。
【符号の説明】
【００２３】
２：容器の口頸部
４：中栓
６：外蓋
１２：閉塞壁
１４：破断可能薄肉ライン
１６：除去領域
２６：装着壁
３０：雄螺条
３６：被係止壁
３８：溝（被係合手段）
４０：係止片（被係合手段）
４４：天面壁
５０：被装着壁
５８：係止壁
６０ａ：外側係止突起
６０ｂ：外側係止突起
６８：内側係止突起
６６ａ：突条（係合手段）
６６ｂ：突条（係合手段）
【図１】
0005869258.tif 000002
【図２】
0005869258.tif 000003
【図３】
0005869258.tif 000004
【図４】
0005869258.tif 000005
【図５】
0005869258.tif 000006
【図７】
0005869258.tif 000007
【図８】
0005869258.tif 000008
【図９】
0005869258.tif 000009
【図１０】
0005869258.tif 000010
【図１１】
0005869258.tif 000011
【図１２】
0005869258.tif 000012
【図１３】
0005869258.tif 000013
【図６】
0005869258.tif 000014